(57)【要約】【課題】  吸込口管を簡単な操作で着脱することが可能な水中ポンプを提供する。【解決手段】  ケーシング１１の底部に、下方へ突出する吸込口管１３が備えられた吊上げ可能な水中ポンプであって、吸込口管１３の上端部がケーシング１１に形成された差込口に脱抜可能に差込まれ、吸込口管１３に取っ手２５が設けられ、ケーシング１１の底部に、取っ手２５を下方から支持する支持部材２６が設けられ、ケーシング１１の底部と支持部材２６との間に、取っ手２５を保持する保持部２８が形成され、取っ手２５は、吸込口管１３を一方Ａへ回動することにより、保持部２８に挿入されて保持され、吸込口管１３を他方Ｂへ回動することにより、保持部２８から離脱し、取っ手２５を保持部２８に挿入した状態で取っ手２５の離脱方向Ｂへの移動を阻止する突起部２９が支持部材２６に設けられている。【選択図】  図５
2006257875.tif 000002
【特許請求の範囲】
【請求項１】
羽根車を内蔵したケーシングの底部に、下方へ突出する吸込口管が備えられた吊上げ可能な水中ポンプであって、
上記吸込口管の上端部が、ケーシングに形成された差込口に、脱抜可能に差し込まれ、
吸込口管に係合部材が設けられ、
ケーシングに、上記係合部材を上下方向において保持する保持部が設けられ、
上記係合部材は、吸込口管を周方向のいずれか一方へ回動することにより、保持部に挿入されて保持され、上記吸込口管を周方向の他方へ回動することにより、保持部から離脱し、
上記係合部材を保持部に挿入した状態で係合部材の離脱方向への移動を阻止する離脱阻止手段が設けられていることを特徴とする水中ポンプ。
【請求項２】
ケーシングの底部に、係合部材を下方から支持する支持部材が設けられ、
保持部はケーシングの底部と支持部材との間に形成されていることを特徴とする請求項１記載の水中ポンプ。
【請求項３】
支持部材は一端部がケーシングの底部に取付けられた板状の弾性体からなり、
離脱阻止手段として、支持部材の他端部に上方へ突出する突起部が形成され、
係合部材は、支持部材の一端部と突起部との間で支持され、且つ、支持部材の他端部側から保持部に対して挿脱可能であることを特徴とする請求項２記載の水中ポンプ。
【請求項４】
離脱阻止手段として、保持部内に突入する突入位置と保持部の外部へ退避する退避位置との間で回動自在なストッパーがケーシングの底部に設けられ、
保持部に挿入された係合部材が、突入位置のストッパーに対して、離脱方向から係合することを特徴とする請求項１又は請求項２記載の水中ポンプ。
【発明の詳細な説明】
【技術分野】
【０００１】
本発明は、例えばマンホールや一般汚水揚水ポンプ場等において汚水を揚水するために使用される水中ポンプに関するものであり、下方へ突出する吸込口管がケーシングの底部に備えられ、かつ吊上げ可能な構造のものに関する。
【背景技術】
【０００２】
従来、この種の水中ポンプとしては、例えば、図１２，図１３に示すように、ピット７１の底部に据付けられ、かつ、ピット７１内に設けられたガイドパイプ７２に案内されて昇降可能な水中ポンプ７３がある。
【０００３】
上記水中ポンプ７３は、羽根車７４を内蔵したケーシング７５と、ケーシング７５の上部に設けられて羽根車７４を回転させるモーター７６と、ケーシング７５の底部に設けられて下方へ突出する円筒状の吸込口管７７と、吊上用のチェン８２とを具備している。上記吸込口管７７は複数のボルト７９によってケーシング７５の底部に連結固定されている。また、ケーシング７５には、吸込方向に対して直交する横方向へ流体を吐出する吐出口７８が形成されている。さらに、ケーシング７５の底部には複数の脚部８３が設けられており、これら脚部８３は吸込口管７７の周囲に配設され、吸込口管７７の下端は脚部８３よりも下方に突出している。
【０００４】
ピット７１の底面には汚水溜り８０が形成され、上記吸込口管７７は上方から汚水溜り８０内に挿入されている。また、ピット７１内には吐出管８１が設けられ、この吐出管８１は、垂直管部８１ａと、この垂直管部８１ａの下端に接続された９０°エルボ状の曲管部８１ｂとで構成されている。上記吐出口７８は曲管部８１ｂの先端に当接離間可能に当て付けられている。
【０００５】
尚、上記のように吸込口管７７を複数のボルト７９によってケーシング７５の底部に連結固定した水中ポンプは下記特許文献１に示されている。
これによると、モーター７６を駆動して羽根車７４を回転させることにより、ピット７１内の汚水が、水中ポンプ７３の吸込口管７７から吸込まれ、吐出口７８から吐出され、吐出管８１内を通ってピット７１の外部へ送られる。これにより、ピット７１内の汚水の量が次第に減少し、最終的には、汚水溜り８０の底部に少量の汚水が残留するのみとなり、水中ポンプ７３に吸込まれずにピット７１内に残留してしまう汚水の量を減らすことができる。
【０００６】
また、水中ポンプ７３を引き上げてメンテナンス作業等を行う場合、図１２に示すように、先ず、クレーン等を用いてチェン８２で水中ポンプ７３をピット７１の上方へ吊り上げる。この際、水中ポンプ７３はガイドパイプ７２に案内されて上昇する。次に、吊り上げられた水中ポンプ７３を横方向へ移動させてピット７１の隣りの床面等に下ろしている。この時、水中ポンプ７３をそのまま下ろすと、吸込口管７７が床面等に着床するため、水中ポンプ７３は吸込口管７７を介して不安定な状態で床面上に載置されてしまう。したがって、水中ポンプ７３を床面等に下ろす際、先ず、複数のボルト７９を全て外して、吸込口管７７をケーシング７５から取り外し、その後、水中ポンプ７３を下ろすことにより、脚部８３を床面等に着床させている。これにより、水中ポンプ７３が脚部８３を介して安定して床面上に載置される。
【０００７】
また、上記の従来形式では、ピット７１の上方の吊り代を十分に確保することができず、吊り代が不足することがあった。このように吊り代が不足している場合、吊り上げた水中ポンプ７３を横方向へ移動した際に、図１２の仮想線で示すように、吸込口管７７がピット７１の内面上端部７１ａに衝突する恐れがあった。
【０００８】
このような場合は、水中ポンプ７３を吊り上げた状態で、複数のボルト７９を全て外し、吸込口管７７をケーシング７５から取り外した後、水中ポンプ７３を横方向へ移動させてピット７１の隣りの床面等に下ろしている。
【０００９】
しかしながら、上記のように吸込口管７７をケーシング７５から取り外すためには、複数のボルト７９を全て外す必要があり、さらに、メンテナンス作業後には、ピット７１の上方で、複数のボルト７９を全て取付けて吸込口管７７をケーシング７５に連結する必要がある。このため、吸込口管７７の着脱作業が行い難く手間を要するといった問題があり、また、取り外したボルト７９を誤ってピット７１内に落としてしまう恐れもある。
【特許文献１】特開平１１−２３００９３
【発明の開示】
【発明が解決しようとする課題】
【００１０】
本発明は、吸込口管を簡単な操作で着脱することが可能な水中ポンプを提供することを目的とする。
【課題を解決するための手段】
【００１１】
上記目的を達成するために本第１発明では、羽根車を内蔵したケーシングの底部に、下方へ突出する吸込口管が備えられた吊上げ可能な水中ポンプであって、上記吸込口管の上端部がケーシングに形成された差込口に脱抜可能に差し込まれ、吸込口管に係合部材が設けられ、ケーシングに、上記係合部材を上下方向において保持する保持部が設けられ、上記係合部材は、吸込口管を周方向のいずれか一方へ回動することにより、保持部に挿入されて保持され、上記吸込口管を周方向の他方へ回動することにより、保持部から離脱し、上記係合部材を保持部に挿入した状態で係合部材の離脱方向への移動を阻止する離脱阻止手段が設けられているものである。
【００１２】
これによると、吸込口管を周方向の他方へ回動することにより、係合部材を保持部から離脱させ、この状態で、吸込口管の上端部をケーシングの差込口から脱抜することによって、吸込口管を簡単な操作でケーシングから取り外すことができる。
【００１３】
また、吸込口管の上端部をケーシングの差込口に差し込み、この状態で、吸込口管を周方向の一方へ回動して、係合部材を保持部に挿入することにより、吸込口管を簡単な操作でケーシングに取付けることができる。
【００１４】
このようにして吸込口管をケーシングに取付けた状態では、離脱阻止手段によって、保持部に挿入された係合部材の離脱方向への移動が阻止されるため、振動等により不用意に係合部材が離脱方向へ移動して保持部から離脱するのを防止することができ、吸込口管がケーシングから脱落するのを防ぐことができる。
【００１５】
また、本第２発明では、ケーシングの底部に、係合部材を下方から支持する支持部材が設けられ、保持部はケーシングの底部と支持部材との間に形成されているものである。
これによると、係合部材を保持部に挿入することによって、係合部材が、下方から支持部材で支持されて、保持部に保持される。
【００１６】
また、本第３発明では、支持部材は一端部がケーシングの底部に取付けられた板状の弾性体からなり、離脱阻止手段として、支持部材の他端部に上方へ突出する突起部が形成され、係合部材は、支持部材の一端部と突起部との間で支持され、且つ、支持部材の他端部側から保持部に対して挿脱可能であるものである。
【００１７】
これによると、吸込口管の上端部をケーシングの差込口に差し込み、吸込口管を周方向の一方へ回動することにより、係合部材が、支持部材の他端部外側から突起部とケーシングとの間を通過して保持部に挿入され、支持部材の一端部と突起部との間で支持される。これによって、吸込口管がケーシングに取付けられる。
【００１８】
この際、保持部に挿入された係合部材は、支持部材の突起部に当接することによって、離脱方向へ移動することを阻止される。このため、振動等により不用意に係合部材が離脱方向へ移動して保持部から離脱するのを防止することができ、吸込口管がケーシングから脱落するのを防ぐことができる。
【００１９】
また、本第４発明では、離脱阻止手段として、保持部内に突入する突入位置と保持部の外部へ退避する退避位置との間で回動自在なストッパーがケーシングの底部に設けられ、保持部に挿入された係合部材が、突入位置のストッパーに対して、離脱方向から係合するものである。
【００２０】
これによると、吸込口管の上端部をケーシングの差込口に差し込み、ストッパーを退避位置に回動した状態で、吸込口管を周方向の一方へ回動する。これにより、係合部材が保持部に挿入されて保持される。その後、上記ストッパーを突入位置に回動することにより、上記係合部材は、ストッパーに対して離脱方向から係合するため、離脱方向へ移動することを阻止される。このため、振動等により不用意に係合部材が離脱方向へ移動して保持部から離脱するのを防止することができ、吸込口管がケーシングから脱落するのを防ぐことができる。
【発明の効果】
【００２１】
以上のように本発明では、吸込口管を簡単な操作でケーシングに着脱することができるため、水中ポンプをピットの上方へ吊り上げた後、吸込口管をケーシングから取り外す作業が容易に行える。これにより、吸込口管の下端が水中ポンプの脚部よりも下方に突出しているような場合でも、上記のように吸込口管を取り外すことで、吊り上げた水中ポンプを床面等に下ろす際、水中ポンプが脚部を介して安定して床面上に載置される。また、吊り代が不足している場合でも、上記のように吸込口管を取り外すことで、吊り上げた水中ポンプを横方向へ移動する際、吸込口管がピットの内面上端部に衝突するのを防止することができる。
【００２２】
さらに、吸込口管をケーシングに取付けた状態では、離脱阻止手段によって、保持部に挿入された係合部材の離脱方向への移動が阻止されるため、振動等により不用意に係合部材が離脱方向へ移動して吸込口管がケーシングから脱落するのを防止することができる。
【発明を実施するための最良の形態】
【００２３】
以下に、本発明における第１の実施の形態を図１〜図８に基づいて説明する。
図１，図２に示すように、１は吊上げ可能な水中ポンプであり、例えばマンホールや汚水槽等のピット２の底部２ａに据付けられている。このピット２の底部２ａには汚水溜り３が形成されている。ピット２内には吐出管４が配設されており、この吐出管４は、垂直管部４ａと、一端が垂直管部４ａの下端に接続された９０°エルボ状の曲管部４ｂと、曲管部４ｂの他端に形成された管側吐出フランジ４ｃとで構成されている。尚、曲管部４ｂは基礎ボルト５によってピット２の底部２ａに据付け固定されている。
【００２４】
上記水中ポンプ１は、着脱手段６によって着脱自在に吐出管４の管側吐出フランジ４ｃに取付けられており、また、案内手段７によって上下方向へ案内される。上記水中ポンプ１は、羽根車１０を内蔵したケーシング１１と、ケーシング１１の上部に設けられて羽根車１０を回転させるモーター１２と、ケーシング１１の底部に設けられて下方へ突出する吸込口管１３と、吊上用のチェン１４（索体の一例）とを備えている。さらに、ケーシング１１の底部には複数の脚部３５が設けられており、これら脚部３５は吸込口管１３の周囲に配設され、吸込口管１３の下端は脚部３５よりも下方に突出している。
【００２５】
図３，図６，図７に示すように、上記吸込口管１３は、円筒状の直管部１３ａと、この直管部１３ａの下端に形成された円錐台状の吸込口部１３ｂとで構成されており、上方から汚水溜り３内に挿入されている。吸込口管１３の上端部には差込部１７が形成されており、差込部１７には、直管部１３ａの外周面から径方向外側へ突出した突部１８が全周にわたり形成されている。
【００２６】
また、ケーシング１１は底部に筒状のボス部１１ａを有しており、このボス部１１ａには差込口１９が形成されている。この差込口１９は、上部奥方に、全周にわたり径方向内側へ突出した段付部２０を有している。さらに、段付部２０の上部奥方にはケーシング側吸込口２１が形成されている。上記吸込口管１３の差込部１７は、下方から、差込口１９に脱抜可能に差し込まれており、ケーシング側吸込口２１に連通している。また、差込部１７にはＯリング２２が外嵌されており、差込部１７の外周面と差込口１９の内周面との間をシールしている。尚、Ｏリング２２は、突部１８と段付部２０とによって上下方向に位置決めされており、上下への変移が規制され脱落が防止されている。
【００２７】
図３〜図６に示すように、上記吸込口管１３の直管部１３ａの外周面の一箇所には、径方向外側へ突出する平板状の取っ手２５（係合部材の一例）が設けられている。ケーシング１１の底部には、取っ手２５を下方から支持する支持部材２６が設けられている。この支持部材２６は、板ばね（板状の弾性体の一例）からなり、一端部がボルト２７によってケーシング１１の底部に連結固定されている。上記支持部材２６とケーシング１１の底部との上下間には、取っ手２５を上下方向において保持する保持部２８が形成されている。上記取っ手２５は、図４，図５の実線で示すように、吸込口管１３を周方向のいずれか一方Ａへ回動することにより、保持部２８に挿入されて保持され、図４，図５の仮想線で示すように、吸込口管１３を周方向の他方Ｂへ回動することにより、保持部２８から離脱する。
【００２８】
上記支持部材２６の他端部には、上方へ突出する山形状の突起部２９が屈曲形成されている。この突起部２９は、取っ手２５を保持部２８に挿入した状態で取っ手２５の離脱方向Ｂへの移動を阻止する離脱阻止手段の一例である。突起部２９の上端はケーシング１１の底部に当接しており、支持部材２６の他端部が下方に湾曲することにより、取っ手２５が支持部材２６の他端部側から突起部２９とケーシング１１の底部との間を通過して保持部２８に挿脱可能となっている。
【００２９】
図１，図２に示すように、上記ケーシング１１には、吸込方向に対して直交する横方向へ流体を吐出する吐出口３３と、ポンプ側吐出フランジ３４とが形成されている。また、上記着脱手段６はポンプ側吐出フランジ３４の上端部に設けられたフック状の係止体６ａからなり、この係止体６ａは下向きに突出する突起部６ｂを有している。突起部６ｂとポンプ側吐出フランジ３４との間に、下方が開放された係合凹部６ｃが形成されている。この係合凹部６ｃに管側吐出フランジ４ｃの上部が挿入されることによって、ポンプ側吐出フランジ３４が管側吐出フランジ４ｃに接合し、水中ポンプ１が吐出管４の管側吐出フランジ４ｃに取付けられる。
【００３０】
また、上記案内手段７は、ピット２内に上下方向に設けられたパイプ材からなる左右一対の案内部材７ａと、上記係止体６ａに形成された案内孔７ｂとで構成されている。一対の案内部材７ａは案内孔７ｂに挿通されている。
【００３１】
また、上記吊上用のチェン１４は、一端が水中ポンプ１の上端部に連結され、他端がピット２の上端開口部２ｂの付近に設けられたチェン止め用フック（図示せず）に引掛けられている。
【００３２】
以下、上記構成における作用を説明する。
通常時、図６に示すように、吸込口管１３の差込部１７がケーシング１１の差込口１９に差し込まれ、図５の実線で示すように、取っ手２５が保持部２８に挿入されて保持される。これにより、吸込口管１３の荷重が取っ手２５を介して下方から支持部材２６で支持され、吸込口管１３がケーシング１１に取付けられる。
【００３３】
モーター１２を駆動して羽根車１０を回転させることにより、ピット２内の汚水（流体の一例）が、吸込口管１３から吸込まれ、吐出口３３から吐出され、吐出管４内を通ってピット２の外部へ送られる。これにより、ピット２内の汚水の量が次第に減少し、最終的には、汚水溜り３の底部に少量の汚水が残留するのみとなる。
【００３４】
また、保持部２８に挿入された取っ手２５は、突起部２９に当接することによって、離脱方向Ｂへ移動することを阻止される。このため、モーター１２等の振動等により不用意に取っ手２５が離脱方向Ｂへ移動して保持部２８から離脱するのを防止することができ、吸込口管１３がケーシング１１から脱落するのを防ぐことができる。
【００３５】
また、水中ポンプ１を引き上げてメンテナンス作業等を行う場合、先ず、クレーン等を用いてチェン１４で水中ポンプ１をピット２の上方へ吊り上げる。これにより、図２の仮想線で示すように、係止体６ａの係合凹部６ｃが管側吐出フランジ４ｃに対して上方へ離脱し、水中ポンプ１が、管側吐出フランジ４ｃから取り外され、案内部材７ａに案内されて上昇する。この際、ピット２の上端部よりも僅かに下方の所で、案内部材７ａが係止体６ａの案内孔７ｂ（図１参照）から脱抜されるため、案内部材７ａによる案内が解除され、水中ポンプ１が横方向へ移動自在となる。
【００３６】
水中ポンプ１を吊り上げた際、ピット２の上方の吊り代が十分に確保されており、水中ポンプ１の吸込口管１３の下端がピット２の上端部よりも上方にある場合は、そのまま水中ポンプ１をピット２の隣りの床面等の上方まで横方向へ移動させ、この状態で、図４の仮想線で示すように取っ手２５を掴んで吸込口管１３を他方Ｂへ回動することにより、取っ手２５を、保持部２８から突起部２９とケーシング１１の底部との間を通過させて、支持部材２６の他端部外方へ離脱させる。
【００３７】
そして、図７に示すように、取っ手２５を下動して、吸込口管１３の差込部１７をケーシング１１の差込口１９から下方に脱抜する。これにより、非常に簡単な操作で吸込口管１３を水中ポンプ１から取り外すことができる。その後、図８の仮想線（ロ）で示すように、水中ポンプ１を床面等に下ろし、メンテナンス作業等を行う。この際、水中ポンプ１は脚部３５を介して安定して床面上に載置されるため、メンテナンス作業が容易に行え、作業の安全性が向上する。
【００３８】
また、上記吊り代が不足して、水中ポンプ１を横方向へ移動させる際、図８の仮想線（イ）で示すように吸込口管１３がピット２の内面上端部２ｃに接触する場合は、図８の実線で示すように水中ポンプ１をピット２の上方へ吊り上げ、この状態で、上記と同様な手順で吸込口管１３を水中ポンプ１から取り外し、その後、図８の仮想線（ロ）で示すように、水中ポンプ１を横方向へ移動させてピット２の隣りの床面等に下ろし、メンテナンス作業等を行う。上記水中ポンプ１を横方向へ移動させる際、吸込口管１３は水中ポンプ１から取り外されているため、吸込口管１３がピット２の内面上端部２ｃに衝突するのを防止することができる。
【００３９】
メンテナンス作業後、水中ポンプ１をピット２の底部２ａに据付けるには、水中ポンプ１を床面の上方に吊り上げた状態で、図６に示すように、吸込口管１３の差込部１７を下方からケーシング１１の差込口１９に差し込む。そして、図４の実線で示すように、取っ手２５を掴んで吸込口管１３を一方Ａへ回動することにより、取っ手２５を支持部材２６の他端部外方から突起部２９とケーシング１１の底部との間を通過させて保持部２８に挿入する。これにより、取っ手２５が保持部２８に保持され、吸込口管１３の荷重が取っ手２５を介して下方から支持部材２６で支持されるため、非常に簡単な操作で吸込口管１３をケーシング１１に取付けることができる。
【００４０】
また、吊り代が不足している場合は、吸込口管１３を取り外したままの状態で水中ポンプ１を床面の上方に吊り上げてピット２の上方まで横方向へ移動させ、その後、上記と同様にして吸込口管１３をケーシング１１に取付けている。
【００４１】
このようにして吸込口管１３をケーシング１１に取付けた後、図２に示すように、水中ポンプ１をチェン１４で吊った状態でピット２の上方からピット２の底部２ａへ下ろす。この際、案内部材７ａを下方から係止体６ａの案内孔７ｂに挿通することによって、水中ポンプ１は案内部材７ａにより案内されながら下降する。ピット２の底部２ａまで下降した際、管側吐出フランジ４ｃの上部が下方から係止体６ａの係合凹部６ｃに挿入され、これにより、ポンプ側吐出フランジ３４が管側吐出フランジ４ｃに接合し、水中ポンプ１が吐出管４の管側吐出フランジ４ｃに取付けられる。その後、チェン１４の他端を、クレーンから外し、ピット２内のチェン止め用フック（図示せず）に引掛けておく。
【００４２】
上記のように、吸込口管１３の取付け取外しが非常に容易に行え、この際、特別な工具も不要であるため、作業が小人数で迅速かつ確実に行え、コストも低減できる。また、吸込口管１３を水中ポンプ１に取付ける場合、図６に示すように、吸込口管１３の差込部１７を下方からケーシング１１の差込口１９に差し込むことにより、吸込口管１３とケーシング１１のケーシング側吸込口２１との中心を合わせることができる。さらに、Ｏリング２２によって、上記吸込口管１３の差込部１７とケーシング１１の差込口１９との間の水密性を確保することができる。
【００４３】
上記第１の実施の形態では、図４に示すように、取っ手２５と支持部材２６とをそれぞれ１個ずつ設けているが、複数個ずつ設けてもよい。例えば２個ずつ設ける場合は、取っ手２５を吸込口管１３の周方向に１８０°振り分けて設け、同様に、支持部材２６を差込口１９の周囲に１８０°振り分けて設ければよい。また、シール材の一例としてＯリング２２を用いたが、Ｏリング２２の代わりにパッキン等を用いてもよい。
【００４４】
次に、本発明における第２の実施の形態を図９〜図１１に基づいて説明する。
ケーシング１１の底部１１ｂには、取っ手２５を下方から支持する支持部材４１が設けられている。この支持部材４１は、横板部４１ａと、横板部４１ａの一端から立ち上がってケーシング１１の底部１１ｂに連設された縦板部４１ｂとで構成されている。保持部２８は支持部材４１の横板部４１ａとケーシング１１の底部との上下間に形成されている。
【００４５】
また、離脱阻止手段の一例としてストッパー４２が設けられており、このストッパー４２はボルト４３と蝶ナット４４とで構成されている。上記ボルト４３は、基端部がケーシング１１の底部１１ｂに設けられた横軸４５に支持され、横軸４５を中心に上下方向へ回動自在に連結されている。また、上記支持部材４１の横板部４１ａには切欠部４６が形成されている。尚、上記ボルト４３は、図１０に示すように下向きの状態で切欠部４６に挿入されて保持部２８内に突入する突入位置Ｐａと、図９に示すように切欠部４６から脱抜されて保持部２８の外側へ退避する退避位置Ｐｂとの間で回動可能である。
【００４６】
図１０に示すように、上記保持部２８に挿入された取っ手２５は、支持部材４１の縦板部４１ｂと突入位置Ｐａのボルト４３との間で保持され、このボルト４３に対して、離脱方向Ｂから係合する。尚、上記蝶ナット４４はボルト４３の遊端部に螺合されている。
【００４７】
以下、上記構成における作用を説明する。
通常時、図１１に示すように、吸込口管１３の差込部１７がケーシング１１の差込口１９に差し込まれ、図１０に示すように取っ手２５が保持部２８に挿入されて保持される。これにより、吸込口管１３の荷重が取っ手２５を介して下方から支持部材４１で支持され、吸込口管１３がケーシング１１に取付けられる。
【００４８】
この際、ボルト４３は蝶ナット４４によって突入位置Ｐａに固定されており、取っ手２５が縦板部４１ｂとボルト４３との間で保持されているため、上記取っ手２５はボルト４３に対して離脱方向Ｂから係合し、これにより、離脱方向Ｂへ移動することを阻止される。したがって、モーター１２等の振動等により不用意に取っ手２５が離脱方向Ｂへ移動して保持部２８から離脱するのを防止することができ、吸込口管１３がケーシング１１から脱落するのを防ぐことができる。
【００４９】
また、水中ポンプ１を引き上げてメンテナンス作業等を行う際、吊り代が十分に確保されている場合、水中ポンプ１を吊り上げてそのままピット２の隣りの床面等の上方まで横方向へ移動させ、この状態で、蝶ナット４４を緩めて、ボルト４３の固定を解除する。そして、図９に示すように、ボルト４３を突入位置Ｐａから退避位置Ｐｂへ回動し、この状態で、取っ手２５を掴んで吸込口管１３を他方Ｂへ回動することにより、取っ手２５を保持部２８から支持部材４１の他端部外方へ離脱させる。
【００５０】
その後、取っ手２５を下動して、吸込口管１３の差込部１７をケーシング１１の差込口１９から下方に脱抜する。これにより、非常に簡単な操作で吸込口管１３を水中ポンプ１から取り外すことができる。その後、水中ポンプ１を床面等に下ろし、メンテナンス作業等を行う。この際、水中ポンプ１は脚部３５を介して安定して床面上に載置されるため、メンテナンス作業が容易に行え、作業の安全性が向上する。
【００５１】
また、吊り代が不足している場合、水中ポンプ１をピット２の上方へ吊り上げ、この状態で、上記と同様な手順で吸込口管１３を水中ポンプ１から取り外し、その後、水中ポンプ１を横方向へ移動させてピット２の隣りの床面等に下ろし、メンテナンス作業等を行う。上記水中ポンプ１を横方向へ移動させる際、吸込口管１３は水中ポンプ１から取り外されているため、吸込口管１３がピット２の内面上端部２ｃに衝突するのを防止することができる。
【００５２】
メンテナンス作業後、水中ポンプ１をピット２の底部２ａに据付ける際、吸込口管１３の差込部１７を下方からケーシング１１の差込口１９に差し込む。そして、ボルト４３を退避位置Ｐｂへ回動した状態で、取っ手２５を掴んで吸込口管１３を一方Ａへ回動することにより、取っ手２５を支持部材４１の他端部外方から保持部２８に挿入する。これにより、取っ手２５が保持部２８に保持され、吸込口管１３の荷重が取っ手２５を介して下方から支持部材４１で支持される。
【００５３】
その後、図１０に示すように、上記ボルト４３を退避位置Ｐｂから突入位置Ｐａへ回動し、蝶ナット４４を締め付けて横板部４１ａの下面に押し付ける。これにより、ボルト４３は、切欠部４６に挿入されて保持部２８内に突入し、蝶ナット４４によって突入位置Ｐａに固定される。上記取っ手２５は縦板部４１ｂとボルト４３との間で保持され、これにより、吸込口管１３がケーシング１１から脱落するのを防ぐことができる。
【００５４】
上記第２の実施の形態では、取っ手２５と支持部材４１とストッパー４２とをそれぞれ１個ずつ設けているが、複数個ずつ設けてもよい。例えば２個ずつ設ける場合は、取っ手２５を吸込口管１３の周方向に１８０°振り分けて設け、同様に、支持部材４１とストッパー４２とをそれぞれ差込口１９の周囲に１８０°振り分けて設ければよい。
【００５５】
上記第１の実施の形態では、支持部材２６とケーシング１１の底部との間に保持部２８を形成し、第２の実施の形態では、支持部材４１の横板部４１ａとケーシング１１の底部１１ｂとの間に保持部２８を形成しているが、支持部材２６とケーシング１１の底部との間或いは横板部４１ａとケーシング１１の底部１１ｂとの間に限定されるものではなく、例えば、保持部２８をケーシング１１の側面や脚部３５等に設けてもよい。
【００５６】
上記各実施の形態では、索体の一例であるチェン１４を用いて水中ポンプ１を吊上げているが、チェン１４の代わりにワイヤー等を用いてもよい。
【図面の簡単な説明】
【００５７】
【図１】本発明の第１の実施の形態における水中ポンプの一部切欠き側面図である。
【図２】同、水中ポンプを据付けたピットの図である。
【図３】同、水中ポンプの吸込口管の斜視図である。
【図４】図１におけるＸ−Ｘ矢視図である。
【図５】図４におけるＹ−Ｙ矢視図である。
【図６】図４におけるＺ−Ｚ矢視図である。
【図７】同、水中ポンプの差込口と吸込口管の差込部との断面図である。
【図８】同、水中ポンプをピットから吊上げる際の手順を示した図である。
【図９】本発明の第２の実施の形態における水中ポンプの支持部材とストッパーとの斜視図であり、ストッパーを退避位置に切換えた状態を示す。
【図１０】同、水中ポンプの支持部材とストッパーとの斜視図であり、ストッパーを突入位置に切換えた状態を示す。
【図１１】同、水中ポンプのケーシングの底部に吸込口管を取付けた状態の断面図である。
【図１２】従来の水中ポンプを据付けたピットの図である。
【図１３】同、水中ポンプの一部切欠き側面図である。
【符号の説明】
【００５８】
１      水中ポンプ
１０    羽根車
１１    ケーシング
１１ｂ  底部
１３    吸込口管
１９    差込口
２５    取っ手（係合部材）
２６    支持部材
２８    保持部
２９    突起部（離脱阻止手段）
４１    支持部材
４２    ストッパー（離脱阻止手段）
Ａ    一方
Ｂ    他方
Ｐａ  突入位置
Ｐｂ  退避位置
【図１】
2006257875.tif 000003
【図２】
2006257875.tif 000004
【図３】
2006257875.tif 000005
【図４】
2006257875.tif 000006
【図５】
2006257875.tif 000007
【図６】
2006257875.tif 000008
【図７】
2006257875.tif 000009
【図８】
2006257875.tif 000010
【図９】
2006257875.tif 000011
【図１０】
2006257875.tif 000012
【図１１】
2006257875.tif 000013
【図１２】
2006257875.tif 000014
【図１３】
2006257875.tif 000015